(57)【要約】【課題】本発明は、揮発性二次冷媒の蒸発潜熱を利用して蒸発器と空調器により冷温熱出力を行うことを目的とする。【解決手段】本発明による吸収冷温機の冷・温熱出力方法及び装置は、少なくとも冷媒液散布装置(1a)と冷媒液ポンプ(1b)を備える揮発性二次冷媒冷温熱出力用蒸発器(1)、レシーバー(2)、揮発性二次冷媒液ポンプ(3)、空調機(4)、第１〜第４三方バルブ(5〜8)より構成され、冷媒の蒸発による発生冷熱又は冷媒の凝縮による発生温熱を揮発性二次冷媒により出力可能とした構成である。【選択図】図１
2007240062.tif 000002
【特許請求の範囲】
【請求項１】
少なくとも冷媒液散布装置(1a)と循環冷媒液ポンプ(1b)を備える揮発性二次冷媒冷温熱出力用蒸発器（以下、蒸発器と省略）(1)、レシーバー(2)、揮発性二次冷媒液ポンプ(3)、空調機(4)、第１〜第４三方バルブ(5,6,7,8)より構成され、冷媒の蒸発による発生冷熱または冷媒の凝縮による発生温熱を揮発性二次冷媒により出力可能とし、冷熱出力モードでは、前記レシーバー(2)内の揮発性二次冷媒液を前記揮発性二次冷媒液ポンプ(3)により、前記第３、第４三方バルブ(7,8)を介して空調機(4)の伝熱管(4a)内に送り、その蒸発吸熱による発生冷熱により、前記空調機(4)の伝熱管(4a)外に送風される空調用空気を冷やして冷熱出力が行われ、前記空調機(4)を出た揮発性二次冷媒蒸気を圧力差により前記蒸発器(1)の伝熱管(1aA)内に流入させ、また、凝縮器(1A)からの冷媒液を前記蒸発器(1)に導入し、同時に、前記蒸発器(1)の循環冷媒液ポンプ(1b)により前記蒸発器(1)の底部の冷媒液を循環し、前記冷媒液散布装置(1a)により、前記蒸発器(1)の伝熱管(1aA)外壁面に散布して膜状に流下させ、その蒸発吸熱による発生冷熱により前記蒸発器(1)の伝熱管(1aA)内に流される揮発性二次冷媒蒸気を凝縮させた揮発性二次冷媒凝縮液が第１、第２三方バルブ(5,6)を経てレシーバー(2)内に導入され、そこでいったん溜まり、温熱出力モードでは、再生器(1C)から前記蒸発器(1)内に高温冷媒蒸気を導入し、前記揮発性二次冷媒液ポンプ(3)により前記レシーバー(2)内の揮発性二次冷媒液が前記第３、第１三方バルブ(7,5)を経て前記蒸発器(1)の伝熱管(1aA)内に導入され、そこで前記蒸発器(1)の伝熱管外冷媒蒸気の凝縮放熱による発生温熱により、前記蒸発器(1)の伝熱管(1aA)内の揮発性二次冷媒液を蒸発させた揮発性二次冷媒蒸気が圧力差により前記空調機(4)の伝熱管(4a)内に流入し、その凝縮放熱による発生温熱より前記空調機(4)の伝熱管(4a)外に送風される空調用空気を加熱して温熱出力が行われ、揮発性二次冷媒液が第４、第２三方バルブ(8,6)を経て前記レシーバー(2)に戻されることを特徴とする吸収冷温機の冷・温熱出力方法。
【請求項２】
前記蒸発器(1)の揮発性二次冷媒液にＨＦＥ系冷媒または炭化水素系冷媒または代替フロン系冷媒またはアンモニアを適用することを特徴とする請求項１記載の吸収冷温機の冷・温熱出力方法。
【請求項３】
前記空調機(4)の伝熱管(4a)に、フィンチューブまたはプレートフィンチューブコンパクト型熱交換器を適用することを特徴とする請求項１又は２記載の吸収冷温機の冷・温熱出力方法。
【請求項４】
前記蒸発器(1)の伝熱管(1aA)にプレートチューブまたはフィン付き管またはローレット管またはフローテッド管を適用することを特徴とする請求項１ないし３の何れかに記載の吸収冷温機の冷・温熱出力方法。
【請求項５】
少なくとも冷媒液散布装置(1a)と循環冷媒液ポンプ(1b)を備える蒸発器(1)、レシーバー(2)、揮発性二次冷媒液ポンプ(3)、空調機(4)、第１〜第４三方バルブ(5,6,7,8)より構成され、冷媒の蒸発による発生冷熱または冷媒の凝縮による発生温熱を揮発性二次冷媒により出力可能とし、冷熱出力モードでは、前記レシーバー(2)内の揮発性二次冷媒液を前記揮発性二次冷媒液ポンプ(3)により、前記第３、第４三方バルブ(7,8)を介して空調機(4)の伝熱管(4a)内に送り、その蒸発吸熱による発生冷熱により、前記空調機(4)の伝熱管(4a)外に送風される空調用空気を冷やして冷熱出力が行われ、前記空調機(4)を出た揮発性二次冷媒蒸気を圧力差により前記蒸発器(1)の伝熱管(1aA)内に流入させ、また、凝縮器(1A)からの冷媒液を前記蒸発器(1)に導入し、同時に、前記蒸発器(1)の循環冷媒液ポンプ(1b)により前記蒸発器(1)の底部の冷媒液を循環し、前記冷媒液散布装置(1a)により、前記蒸発器(1)の伝熱管(1aA)外壁面に散布して膜状に流下させ、その蒸発吸熱による発生冷熱により前記蒸発器(1)の伝熱管(1aA)内に流される揮発性二次冷媒蒸気を凝縮させた揮発性二次冷媒凝縮液が第１、第２三方バルブ(5,6)を経てレシーバー(2)内に導入され、そこでいったん溜まり、温熱出力モードでは、再生器(1C)から前記蒸発器(1)内に高温冷媒蒸気を導入し、前記揮発性二次冷媒液ポンプ(3)により前記レシーバー(2)内の揮発性二次冷媒液が前記第３、第１三方バルブ(7,5)を経て前記蒸発器(1)の伝熱管(1aA)内に導入され、そこで前記蒸発器(1)の伝熱管外冷媒蒸気の凝縮放熱による発生温熱により、前記蒸発器(1)の伝熱管(1aA)内の揮発性二次冷媒液を蒸発させた揮発性二次冷媒蒸気が圧力差により前記空調機(4)の伝熱管(4a)内に流入し、その凝縮放熱による発生温熱より前記空調機(4)の伝熱管(4a)外に送風される空調用空気を加熱して温熱出力が行われ、揮発性二次冷媒液が第４、第２三方バルブ(8,6)を経て前記レシーバー(2)に戻されることを特徴とする吸収冷温機の冷・温熱出力装置。
【請求項６】
前記蒸発器(1)の揮発性二次冷媒液にＨＦＥ系冷媒または炭化水素系冷媒または代替フロン系冷媒またはアンモニアを適用することを特徴とする請求項５記載の吸収冷温機の冷・温熱出力装置。
【請求項７】
前記空調機(4)の伝熱管(4a)に、フィンチューブまたはプレートフィンチューブコンパクト型熱交換器を適用することを特徴とする請求項５又は６記載の吸収冷温機の冷・温熱出力装置。
【請求項８】
前記蒸発器(1)の伝熱管(1aA)にプレートチューブまたはフィン付き管またはローレット管またはフローテッド管を適用することを特徴とする請求項５ないし７の何れかに記載の吸収冷温機の冷・温熱出力装置。
【発明の詳細な説明】
【技術分野】
【０００１】
本発明は、新規な揮発性二次冷媒冷・温熱出力方式を適用する吸収式冷温機に関するものである。
【背景技術】
【０００２】
従来の吸収式冷温水機の循環冷温水による冷・温熱出力方法と装置を説明するため、従来の単効用臭化リチウム／水系吸収冷温水機を例にして図４に示す。
図示のように従来の臭化リチウム／水系吸収冷温水機に関しては、冷熱出力モードでは、循環冷水を循環冷温水ポンプ２０により蒸発器１の伝熱管１ａＡ内に導入し、また凝縮器１Ａからの冷媒凝縮液を蒸発器１内に導入し、また冷媒液ポンプ３により、蒸発器１底部の循環冷媒液を循環して、冷媒液散布装置１ａにより蒸発器１の伝熱管１ａＡ外壁面に散布し、その蒸発吸熱により蒸発器１の伝熱管１ａＡ内の循環冷水を冷却し、次にこの様に温度が下がった循環冷水を空調機４の伝熱管４ａに送り、そこで送風される空調用空気を冷やして冷熱出力がなされる。
また温熱発生モードでは、循環温水を循環冷温水ポンプ２０により蒸発器１の伝熱管１ａＡ内に導入し、また熱源１ｇを有すると共に、溶液熱交換器１ｈを介して希吸収液ポンプ１ｆに接続された再生器１Ｃからの高温冷媒蒸気を暖房用冷媒蒸気通路１Ｄを介して直接に蒸発器１にバイパスさせ、これにより蒸発器１の伝熱管１ａＡ内に流される循環温水を加熱して、次にこの様に温度が上がった循環温水を空調機４の伝熱管４ａ内に送り、そこで送風される空調用空気を温めて温熱出力がなされる。
また図示のように循環冷温水パイプライン２１に冷温水補給のための膨張タンク２２が取り付けられている。
【発明の開示】
【発明が解決しようとする課題】
【０００３】
前述の様な従来型の吸収冷温水機は、以下のような課題が存在していた。
すなわち、冷熱出力モードでは循環冷水を蒸発器部で冷却されてこの様に温度が下がった循環冷水を空調機に送り、そこで空調用空気を冷やして冷熱出力をなされる。また温熱出力モードでは再生器から高温冷媒蒸気を蒸発器部に導入し、前記蒸発器伝熱管内に流される循環温水を加熱し、この様に温度が上がった循環温水を空調機に送り、そこで前記空調機伝熱管間に送風される空調用空気を温めて温熱出力がなされるのである。
この様にして循環冷温水の顕熱変化を利用して冷温熱出力をなされるため、所要循環冷温水量は多く、所要循環冷温水輸送動力が大きい。また循環冷温水側の局部熱伝達係数がさほど大きくないため、所要蒸発器と空調機サイズは比較的大きく、所要材料は多い。また循環冷温水装置は常に水が補給され、循環冷温水流路が密閉式でないため、蒸発器伝熱管を定期的に清掃する必要があった。
また冷熱出力のモードの場合、蒸発器部冷熱出力温度または冷熱発生温度は直接に吸収式冷温機の冷熱出力成績係数に影響を及ぼしており、二重効用吸収冷凍機または吸収冷温水機の場合には、循環冷水温度が１℃上がると成績係数が６〜７％で上がり、循環冷水温度の影響を大きく受けていた。
【課題を解決するための手段】
【０００４】
本発明による吸収冷温機の冷・温熱出力方法は、少なくとも冷媒液散布装置と冷媒液ポンプを備える蒸発器、レシーバー、揮発性二次冷媒液ポンプ、空調機、第１〜第４三方バルブより構成され、冷媒の蒸発による発生冷熱または冷媒の凝縮による発生温熱を揮発性二次冷媒により出力可能とし、冷熱出力モードでは、前記レシーバー内の揮発性二次冷媒液を前記揮発性二次冷媒液ポンプにより、前記第３、第４三方バルブを介して空調機の伝熱管内に送り、その蒸発吸熱による発生冷熱により、前記空調機の伝熱管外に送風される空調用空気を冷やして冷熱出力が行われ、前記空調機を出た揮発性二次冷媒蒸気を圧力差により前記蒸発器の伝熱管内に流入させ、また凝縮器からの冷媒液を前記蒸発器に導入し、同時に、前記蒸発器の循環冷媒液ポンプにより前記蒸発器の底部の冷媒液を循環し、前記冷媒液散布装置により、前記蒸発器の伝熱管外壁面に散布して膜状に流下させ、その蒸発吸熱による発生冷熱により前記蒸発器の伝熱管内に流される揮発性二次冷媒蒸気を凝縮させた揮発性二次冷媒凝縮液が第１、第２三方バルブを経てレシーバー内に導入され、そこでいったん溜まり、温熱出力モードでは、再生器から前記蒸発器内に高温冷媒蒸気を導入し、前記揮発性二次冷媒液ポンプにより前記レシーバー内の揮発性二次冷媒液が前記第３、第１三方バルブを経て前記蒸発器の伝熱管内に導入され、そこで前記蒸発器の伝熱管外冷媒蒸気の凝縮放熱による発生温熱により、前記蒸発器の伝熱管内の揮発性二次冷媒液を蒸発させた揮発性二次冷媒蒸気が圧力差により前記空調機の伝熱管内に流入し、その凝縮放熱による発生温熱より前記空調機の伝熱管外に送風される空調用空気を加熱して温熱出力が行われ、揮発性二次冷媒液が第４、第２三方バルブを経て前記レシーバーに戻される方法であり、前記蒸発器の揮発性二次冷媒液にＨＦＥ系冷媒または炭化水素系冷媒または代替フロン系冷媒またはアンモニアを適用する方法であり、また、前記空調機の伝熱管に、フィンチューブまたはプレートフィンチューブコンパクト型熱交換器を適用する方法であり、また、前記蒸発器の伝熱管にプレートチューブまたはフィン付き管またはローレット管またはフローテッド管を適用する方法であり、また、本発明による吸収冷温機の冷・温熱出力装置は、少なくとも冷媒液散布装置と冷媒液ポンプを備える蒸発器、レシーバー、揮発性二次冷媒液ポンプ、空調機、第１〜第４三方バルブより構成され、冷媒の蒸発による発生冷熱または冷媒の凝縮による発生温熱を揮発性二次冷媒により出力可能とし、冷熱出力モードでは、前記レシーバー内の揮発性二次冷媒液を前記揮発性二次冷媒液ポンプにより、前記第３、第４三方バルブを介して空調機の伝熱管内に送り、その蒸発吸熱による発生冷熱により、前記空調機の伝熱管外に送風される空調用空気を冷やして冷熱出力が行われ、前記空調機を出た揮発性二次冷媒蒸気を圧力差により前記蒸発器の伝熱管内に流入させ、また凝縮器からの冷媒液を前記蒸発器に導入し、同時に、前記蒸発器の循環冷媒液ポンプにより前記蒸発器の底部の冷媒液を循環し、前記冷媒液散布装置により、前記蒸発器の伝熱管外壁面に散布して膜状に流下させ、その蒸発吸熱による発生冷熱により前記蒸発器の伝熱管内に流される揮発性二次冷媒蒸気を凝縮させた揮発性二次冷媒凝縮液が第１、第２三方バルブを経てレシーバー内に導入され、そこでいったん溜まり、温熱出力モードでは、再生器から前記蒸発器内に高温冷媒蒸気を導入し、前記揮発性二次冷媒液ポンプにより前記レシーバー内の揮発性二次冷媒液が前記第３、第１三方バルブを経て前記蒸発器の伝熱管内に導入され、そこで前記蒸発器の伝熱管外冷媒蒸気の凝縮放熱による発生温熱により、前記蒸発器の伝熱管内の揮発性二次冷媒液を蒸発させた揮発性二次冷媒蒸気が圧力差により前記空調機の伝熱管内に流入し、その凝縮放熱による発生温熱より前記空調機の伝熱管外に送風される空調用空気を加熱して温熱出力が行われ、揮発性二次冷媒液が第４、第２三方バルブを経て前記レシーバーに戻される構成であり、また、前記蒸発器の揮発性二次冷媒液にＨＦＥ系冷媒または炭化水素系冷媒または代替フロン系冷媒またはアンモニアを適用する構成であり、また、前記空調機の伝熱管に、フィンチューブまたはプレートフィンチューブコンパクト型熱交換器を適用する構成であり、また、前記蒸発器の伝熱管にプレートチューブまたはフィン付き管またはローレット管またはフローテッド管を適用する構成である。
【発明の効果】
【０００５】
本発明による吸収冷温機の冷・温熱出力方法及び装置は、以上のように構成されているため、次のような効果を得ることができる。
すなわち、揮発性二次冷媒の凝縮及び蒸発潜熱を利用して冷温熱出力がなされるため、冷熱出力モードでは、蒸発器部の冷熱発生温度を合理的に高く設定でき、これにより最高再生温度の低下と成績係数の向上が図られる。
また、最高再生温度の低下により、熱源流体をより低温または低品位まで利用でき、熱源の熱エネルギー利用効率の向上が図られる。
また、冷温熱出力モードの両方には、同一のコンパクトな蒸発器と空調機を適用するため、装置全体のサイズが低減、省材料が図れる。また、所要循環揮発性二次冷媒動力は極小さく、省エネの効果が顕著である。さらに、揮発性二次冷媒流路が密閉であり、通常揮発性二次冷媒補給が不要なので、蒸発器と空調機の伝熱管内の定期的清掃は不要となる。
【発明を実施するための最良の形態】
【０００６】
本発明は、揮発性二次冷媒の凝縮及び蒸発潜熱を利用して冷温熱出力を行うようにした吸収冷温機の冷・温熱出力方法及び装置を提供することを目的とする。
【実施例】
【０００７】
以下、図面と共に本発明による吸収冷温機の冷・温熱出力方法及び装置の好適な実施の形態について説明する。
尚、従来例と同一又は同等部分には同一符号を付して説明する。
図１には本発明の揮発性二次冷媒冷・温熱出力装置の構成例を示す。図示のように前記揮発性二次冷媒冷・温熱出力装置は基本的に冷媒液散布装置１ａと循環冷媒液ポンプ１ｂ付き揮発性二次冷媒冷熱出力用蒸発器１、レシーバー２、揮発性二次冷媒液ポンプ３と揮発性二次冷媒冷熱出力用の空調機４、第１〜第４三方バルブ５、６、７、８より構成されている。
【０００８】
冷熱出力モードでは、レシーバー２内の揮発性二次冷媒を前記揮発性二次冷媒液ポンプ３により第３、第４三方バルブ７、８を通じて空調機４の伝熱管４ａ内に送り、その蒸発吸熱による発生冷熱により、前記空調機４の伝熱管４ａ外に送風される空調用空気を冷やして冷熱出力がなされる。また、前記空調機４からの揮発性二次冷媒蒸気を圧力差により蒸発器１内に流入させ、図示しない凝縮器１Ａからの冷媒凝縮液を前記蒸発器１内に導入し、同時に、蒸発器部循環冷媒液ポンプ１ｂにより冷媒液を循環し、前記冷媒液散布装置１ａにより、前記蒸発器１の伝熱管１ａＡ外壁面に散布して流下させ、その蒸発吸熱による発生冷熱より前記蒸発器１の伝熱管１ａＡ内に流される冷媒蒸気を凝縮させ、この様になった冷媒凝縮液が第１、第２三方バルブ５、６を経てレシーバー２内に導入され、そこでいったん溜まる。
【０００９】
また温熱出力モードでは、図示しない再生器１Ｃから前記蒸発器１に高温冷媒蒸気を導入し、また前記揮発性二次冷媒液ポンプ３により前記レシーバー２内の揮発性二次冷媒液を第３、第１三方バルブ７、５を経て前記蒸発器１の伝熱管１ａＡ内に導入し、そこで前記蒸発器１の伝熱管１ａＡの冷媒蒸気の凝縮放熱による発生温熱により前記蒸発器１の伝熱管１ａＡ内の揮発性二次冷媒液を蒸発させる。次にこの様になった揮発性二次冷媒蒸気が圧力差により前記空調機４の伝熱管４ａ内に導入され、そこでその凝縮放熱による発生温熱より、前記空調機４の伝熱管４ａ外に送風される空調用空気を加熱する。またこの様になった揮発性二次冷媒液が第４、第２三方バルブ８、６を経てレシーバー２に戻される。
【００１０】
また前記冷温熱出力用揮発性二次冷媒に関してはＨＦＥ系冷媒（例えばＨＦＥ−２４５ｍｃ）、炭化水素（例えばイソブタン、シクロベンタン、プロパン）や代替フロン系冷媒（例えばＨＦＣ−１３４ａ）や、アンモニア等が適用できる。
【００１１】
図２は、本発明による揮発性二次冷媒冷熱出力用の蒸発器１の構成例を示す。
図示の蒸発器１の伝熱管１ａＡは伝熱管１ａＡの間に前記伝熱管外径より薄いプレート部が設けられるプレートチューブである。
図２の管内流体初期分配器１Ｊは冷熱出力モードまたは温熱出力モードにより、これに入ってくる揮発性二次冷媒蒸気または凝縮液を、複数プレートチューブのそれぞれの複数チューブ管内に分配するものである。
図２の管内流体サブ分配器１Ｌは上流側プレートチューブの複数管内流路からの蒸気または凝縮液または蒸気と凝縮液の二相流体を混合してその下流側プレートチューブの複数並列流路に分配する機能を備えるものである。
図２の管外液サブ分配装置１Ｋはプレートチューブ管外壁面に沿って流下した液流体を受けてから、その下流側プレートチューブの外壁面に再散布する機能を有するものである。
図２の出口ヘッダー１Ｍは複数のプレートチューブからの管内流体を合流させて導出するものである。
従って、図１に示した熱交換器である蒸発器１は上述の管内流体初期分配器１Ｊ、管内流体サブ分配器１Ｌ、管外液サブ分配装置１Ｋ、出口ヘッダー１Ｍとプレートチューブより構成されるコンパクト熱交換器である。
【００１２】
図３は、本発明による吸収冷温機に適用する揮発性二次冷媒冷・温熱出力装置に含まれる空調機４の熱交換器の構成例を示す。図示の空調機４の熱交換器は、フィンチューブ３層パネル型コンパクト熱交換器である。冷熱出力モードでは、前記空調機４の伝熱管４ａ内には揮発性二次冷媒液を流し、パネル４ｃに設けた管外プレートフィン４ｂ間流路に空調用空気を送風して、揮発性二次冷媒液の蒸発吸熱による発生冷熱により、前記管外プレートフィン４ｂ間流路を通る空調用空気を冷却して冷熱出力がなされる。また、温熱出力モードでは、前記空調機４の伝熱管４ａ内には揮発性二次冷媒蒸気を流し、管外プレートフィン４ｂ間流路に空調用空気を送風して前記揮発性二次冷媒蒸気の凝縮放熱により、前記管外プレートフィン４ｂ間流路を通る空調用空気を加熱して温熱出力がなされる。
【００１３】
従って、本発明による前述の構成により、次のような方法と装置を得ることができる。
少なくとも冷媒液散布装置１ａと冷媒液ポンプ１ｂを備える蒸発器１、レシーバー２、揮発性二次冷媒液ポンプ３、空調機４、第１〜第４三方バルブ５、６、７、８より構成され、冷媒の蒸発による発生冷熱または冷媒の凝縮による発生温熱を揮発性二次冷媒により出力可能とし、冷熱出力モードでは、前記レシーバー２内の揮発性二次冷媒液を前記揮発性二次冷媒液ポンプ３により、前記第３、第４三方バルブ７、８を介して空調機４の伝熱管４ａ内に送り、その蒸発吸熱による発生冷熱により、前記空調機４の伝熱管４ａ外に送風される空調用空気を冷やして冷熱出力が行われ、前記空調機４を出た揮発性二次冷媒蒸気を圧力差により前記蒸発器１の伝熱管１ａＡ内に流入させ、また、凝縮器１Ａからの冷媒液を前記蒸発器１に導入し、同時に、前記蒸発器１の循環冷媒液ポンプ１ｂにより前記蒸発器１の底部の冷媒液を循環し、前記冷媒液散布装置１ａにより、前記蒸発器１の伝熱管外壁面に散布して膜状に流下させ、その蒸発吸熱による発生冷熱により前記蒸発器１の伝熱管内に流される揮発性二次冷媒蒸気を凝縮させた揮発性二次冷媒凝縮液が第１、第２三方バルブ５、６を経てレシーバー２内に導入され、そこでいったん溜まり、温熱出力モードでは、再生器１Ｃから前記蒸発器１内に高温冷媒蒸気を導入し、前記揮発性二次冷媒液ポンプ３により前記レシーバー２内の揮発性二次冷媒液が前記第３、第１三方バルブ７、５を経て前記蒸発器１の伝熱管１ａＡ内に導入され、そこで前記蒸発器１の伝熱管外冷媒蒸気の凝縮放熱による発生温熱により、前記蒸発器１の伝熱管内の揮発性二次冷媒液を蒸発させた揮発性二次冷媒蒸気が圧力差により前記空調機４の伝熱管４ａ内に流入し、その凝縮放熱による発生温熱より前記空調機４の伝熱管４ａ外に送風される空調用空気を加熱して温熱出力が行われ、揮発性二次冷媒液が第４、第２三方バルブ８、６を経て前記レシーバー２に戻される吸収冷温機の冷・温熱出力方法及び前記蒸発器１の揮発性二次冷媒液にＨＦＥ系冷媒または炭化水素系冷媒または代替フロン系冷媒またはアンモニアを適用する吸収冷温機の冷・温熱出力方法及び前記空調機４の伝熱管４ａに、フィンチューブまたはプレートフィンチューブコンパクト型熱交換器を適用する吸収冷温機用冷・温熱出力方法及び前記蒸発器１に電熱管１ａにプレートチューブまたはフィン付き管またはローレット管またはフローテッド管を適用する吸収冷温機用冷・温熱出力方法及び少なくとも冷媒液散布装置１ａと冷媒液ポンプ１ｂを備える蒸発器１、レシーバー２、揮発性二次冷媒液ポンプ３、空調機４、第１〜第４三方バルブ５、６、７、８より構成され、冷媒の蒸発による発生冷熱または冷媒の凝縮による発生温熱を揮発性二次冷媒により出力可能とし、冷熱出力モードでは、前記レシーバー２内の揮発性二次冷媒液を前記揮発性二次冷媒液ポンプ３により、前記第３、第４三方バルブ７、８を介して空調機４の伝熱管４ａ内に送り、その蒸発吸熱による発生冷熱により、前記空調機４の伝熱管４ａ外に送風される空調用空気を冷やして冷熱出力が行われ、前記空調機４を出た揮発性二次冷媒蒸気を圧力差により前記蒸発器１の伝熱管１ａＡ内に流入させ、また、凝縮器１Ａからの冷媒液を前記蒸発器に導入し、同時に、前記蒸発器１の循環冷媒液ポンプ１ｂにより前記蒸発器１の底部の冷媒液を循環し、前記冷媒液散布装置１ａにより、前記蒸発器１の伝熱管外壁面に散布して膜状に流下させ、その蒸発吸熱による発生冷熱により前記蒸発器１の伝熱管内に流される揮発性二次冷媒蒸気を凝縮させた揮発性二次冷媒凝縮液が第１、第２三方バルブ５、６を経てレシーバー２内に導入され、そこでいったん溜まり、温熱出力モードでは、再生器１Ｃから前記蒸発器１内に高温冷媒蒸気を導入し、前記揮発性二次冷媒液ポンプ３により前記レシーバー２内の揮発性二次冷媒液が前記第３、第１三方バルブ７、５を経て前記蒸発器１の伝熱管内に導入され、そこで前記蒸発器１の伝熱管外冷媒蒸気の凝縮放熱による発生温熱により、前記蒸発器１の伝熱管１ａＡ内の揮発性二次冷媒液を蒸発させた揮発性二次冷媒蒸気が圧力差により前記空調機４の伝熱管４ａ内に流入し、その凝縮放熱による発生温熱より前記空調機４の伝熱管４ａ外に送風される空調用空気を加熱して温熱出力が行われ、揮発性二次冷媒液が第４、第２三方バルブ８、６を経て前記レシーバー２に戻される吸収冷温機の冷・温熱出力装置及び前記蒸発器１の揮発性二次冷媒液にＨＦＥ系冷媒または炭化水素系冷媒または代替フロン系冷媒またはアンモニアを適用する吸収冷温機用冷・温熱出力装置及び前記空調機４の伝熱管４ａに、フィンチューブまたはプレートフィンチューブコンパクト型熱交換器を適用する吸収冷温機用冷・温熱出力装置及び前記蒸発器１の伝熱管１ａＡにプレートチューブまたはフィン付き管またはローレット管またはフローテッド管を適用する吸収冷温機用冷・温熱出力装置である。
【００１４】
従って、前述の本発明の構成により、以下の作用を得ることができる。
その１、冷・温熱両出力モードでは、蒸発器１と空調機４での熱交換での冷媒と揮発性二次冷媒の潜熱を利用するため、冷媒と揮発性二次冷媒蒸気との両側の局部熱伝達係数が大きく、前記蒸発器１と空調機４の熱交換器のコンパクト化と省材料が図れる。
その２、冷・温熱両出力モードでは、同一の蒸発器１と空調機４を利用できるため、装置の簡素化が図れる。
その３、冷熱出力モードでは、揮発性二次冷媒の潜熱を利用して冷熱出力がなされるため、循環揮発性二次冷媒の圧損によるその温度変化を小さく抑えられるように蒸発器１と空調機４を設計することにより、冷熱出力時に蒸発器１の冷熱発生温度を適切に高く設定できる。また冷媒蒸気と吸収液との気液平衡関係により、吸収器部吸収操作温度の一定な条件下において再生済吸収液の濃度を低く設定でき、これにより再生器部の吸収液再生操作温度または多重効用の場合の最高再生温度を低く設定でき、熱源流体をより低温または低品位まで利用できることにより、熱源の熱エネルギー利用効率の向上が図れる。
その４、再生済吸収液濃度を低く設定できることにより、吸収液の結晶現象による運転支障発生の可能性は低くなるかあるいは無くなる。
その５、循環冷温水の冷・温熱出力時に比較的大きい循環水動力の代わりに、所要循環二次冷媒動力は極小さく、省エネの効果が顕著である。
その６、蒸発器１の熱交換器の伝熱管１ａＡ内の定期的清掃は不要である。
【図面の簡単な説明】
【００１５】
【図１】本発明の揮発性二次冷媒による冷温熱出力装置の構成図である。
【図２】図１の揮発性二次冷媒冷温熱出力用蒸発器の構成図である。
【図３】図１の揮発性二次冷媒冷温熱出力用空調機の構成図である。
【図４】従来の循環冷温水による冷温熱出力装置の構成図である。
【符号の説明】
【００１６】
１    揮発性二次冷媒冷温熱出力用蒸発器（蒸発器）
１ａ    冷媒液散布装置
１ｂ    循環冷媒液ポンプ
１ａＡ    伝熱管
１Ａ    凝縮器
１Ｃ    再生器
１Ｄ    暖房用冷媒蒸気通路
１ｆ    希吸収液ポンプ
１ｈ    溶液熱交換器
１ｇ    熱源
１Ｊ    管内流体初期分配器
１Ｋ    管外液サブ分配装置
１Ｌ    管内流体サブ分配器
１Ｍ    出口ヘッダー
２    レシーバー
４    空調機
４ａ    伝熱管
４ｂ    管外プレートフィン
４ｃ    パネル
５、６、７、８    第１〜第４三方バルブ
２０    循環冷温水ポンプ
２１    循環冷温水パイプライン
２２    膨張タンク
【図１】
2007240062.tif 000003
【図２】
2007240062.tif 000004
【図３】
2007240062.tif 000005
【図４】
2007240062.tif 000006